(57)【要約】【課題】ハンズフリー型のシステムを構築した場合、停電により副親機が駆動しなくなっても、その副親機から警報音を出力できるように、独自の改良を加えた住宅情報盤副親機を提供する。【解決手段】非常電源機能とセキュリティ監視機能とを備え、増設スピーカ接続端子Ｔ１を少なくとも備えた住宅情報盤親機Ａに対して、通話線Ｌａ、音声信号線Ｌｂ及び制御信号線Ｌｃを介して接続され、住宅情報盤親機Ａと通話するためのハンズフリー通話手段２０１を備える住宅情報盤副親機Ｂであって、住宅情報盤親機Ａの増設スピーカ接続端子Ｔ１に音声信号線Ｌｄを通じて接続するための親機接続端子Ｔ２と、ハンズフリー通話手段２０１のスピーカＳＰを、親機接続端子Ｔ２に接続された音声ラインｄとハンズフリー通話手段２０１の出力端とに切替接続するためのスピーカ接続切替手段ＲＹ３と、この住宅情報盤副親機Ｂへの電源供給を監視し、電源供給の有無によって、スピーカ接続切替手段ＲＹ３を切替制御するための制御手段２５とを備える【選択図】図１
2004229176.tif 000002
【特許請求の範囲】
【請求項１】
非常電源機能とセキュリティ監視機能とを備え、増設スピーカ接続端子を少なくとも備えた住宅情報盤親機に対して、通話線、音声信号線及び制御信号線を介して接続され、上記住宅情報盤親機と通話するためのハンズフリー通話手段を備える住宅情報盤副親機であって、
上記住宅情報盤親機の上記増設スピーカ接続端子に上記音声信号線を通じて接続するための親機接続端子と、
上記ハンズフリー通話手段のスピーカを、上記親機接続端子に接続された音声ラインと上記ハンズフリー通話手段の出力端とに切替接続するためのスピーカ接続切替手段と、
この住宅情報盤副親機への電源供給を監視し、電源供給の有無によって、上記スピーカ接続切替手段を切替制御するための制御手段とを備える住宅情報盤副親機。
【請求項２】
請求項１において、
上記切替制御手段は、作動時には、電磁コイルを付勢し、非作動時には、弾性体の復元力によってその切替接点を切替える電磁ソレノイドで構成されている住宅情報盤副親機。
【請求項３】
非常電源機能とセキュリティ監視機能と、多重化回路とを備えた２線式信号線接続タイプの住宅情報盤親機に対して、２線式信号線を介して接続され、対応した多重化回路に接続された２線式信号線接続端子と、上記住宅情報盤親機と通話するためのハンズフリー通話手段とを備える住宅情報盤副親機であって、
上記ハンズフリー通話手段のスピーカを、音声ラインと、上記ハンズフリー通話手段の出力端に切替接続するためのスピーカ接続切替手段と、
上記２線式信号線接続端子を、上記音声ラインと、上記多重化回路の入力端とに切替接続するための２線式接続端子切替手段と、
この住宅情報盤副親機への電源供給を監視し、電源供給の有無によって、上記スピーカ接続切替手段、２線式接続端子切替手段を同時に切替作動する動作をなし、電源供給を検知しないときには、上記２線式接続切替手段の接点と上記スピーカ切替手段の接点とを、ともに上記音声ライン側に切替える一方、電源供給を検知したときには、上記２線式接続切替手段の接点は上記多重化回路の入力端に切替えるとともに、上記スピーカ切替手段の接点を上記ハンズフリー通話手段の出力端に切替えるための制御手段とを備えた住宅情報盤副親機。
【請求項４】
請求項３において、
上記第１、２の切替制御手段は、作動時には、電磁コイルを付勢し、非作動時には、弾性体の復元力によってその切替接点を切替える電磁ソレノイドで構成されている住宅情報盤副親機。
【請求項５】
非常電源機能とセキュリティ監視機能とを備え、通話するためのハンズフリー通話手段と、増設スピーカ接続端子と、２線式接続端子を有した多重化回路とを備え、請求項３または４に記載の住宅情報盤副親機に２線式信号線を介して接続される住宅情報盤親機であって、
上記２線式接続端子を、火災時などに作動されるセキュリティ音声情報発生手段の出力端と、上記多重化回路の出力端とを切替接続するための音声／多重化切替手段と、
この住宅情報盤親機への電源供給を監視し、電源供給を検知しないときには、上記音声／多重化切替手段を作動して、上記２線式接続端子を上記セキュリティ音声情報発生手段の出力端に切替える一方、電源供給を検知したときには、上記２線式接続端子を上記多重化回路の出力端に切替えるための制御手段とを備える住宅情報盤親機。
【請求項６】
請求項５において、
上記切替制御手段は、作動時には、電磁コイルを付勢し、非作動時には、弾性体の復元力によってその切替接点を切替える電磁ソレノイドで構成されている住宅情報盤親機。
【請求項７】
非常電源機能とセキュリティ監視機能とを備え、増設スピーカ接続端子を少なくとも備える住宅情報盤親機と、請求項１または２に記載の住宅情報盤副親機とを通話線、制御信号線、音声信号線を介して相互に接続して構成されたセキュリティ監視通話システム。
【請求項８】
請求項７において、
上記住宅情報盤親機と上記住宅情報盤副親機とは、映像信号による映像を表示する手段を備え、両者間を映像信号線で接続して構成されたセキュリティ監視通話システム。
【請求項９】
請求項３または４に記載の住宅情報盤副親機と、請求項５または６に記載の住宅情報盤親機とを、２線式信号線を介して接続して構成したセキュリティ監視通話システム。
【請求項１０】
請求項９において、
上記住宅情報盤親機と上記住宅情報盤副親機とは、通話時に必要な映像を表示する手段を備えており、上記２線式信号線には、電源、制御信号、通話信号に加えて映像信号が重畳して伝送される構成としたセキュリティ監視通話システム。
【発明の詳細な説明】
【０００１】
【発明の属する技術分野】
本発明は、住宅情報盤副親機、住宅情報盤親機、これらを用いて構成したセキュリティシステムの改良に関する。
【０００２】
【従来の技術】
従来より、図６や図７に示すようなセキュリティシステムが広く使用されている。図６は、ハンドセット通話型のシステムを示している。
【０００３】
このものは、火災感知器Ｓなどのセキュリティセンサを接続し、増設スピーカ接続端子Ｔを有した住宅情報盤親機Ａに、住宅情報盤副親機Ｂを、通話線Ｌａ、制御信号線Ｌｂを介して接続している。住宅情報盤親機Ａは、警報監視盤やロビーインターホン（不図示）などの中央装置に、通話線Ｌａ、音声信号線Ｌｄを介して接続され、非常電源装置（不図示）に、非常電源線Ｌｃを介して接続される。
住宅情報盤親機Ａは、火災感知器Ｓの発報状態を監視する火災検知回路１００と、火災検知回路１００による火災検知時などの非常時に、所定の音声信号を送出する音声ＩＣ１０１（セキュリティ音声情報発生手段）と、中央装置との間で制御信号を送受信する制御信号送受信回路１０３と、親機Ａの駆動電源を供給する電源回路１０４と、中央装置、親機Ａ、副親機Ｂのうち、いずれか２者間の通話をさせるためのリレー回路ＲＹ１と、この親機Ａの駆動電源を、電源回路１０４による電源か、非常電源線Ｌｃを通じた非常電源かに切替えるリレー回路ＲＹ２と、少なくとも先述の構成要素全てを制御する制御回路１０６とを備える。
【０００４】
なお、リレー回路ＲＹ１，２は、電磁ソレノイドで構成されており、何ら制御回路１０６による通電のないときには、リレー回路ＲＹ１，２は接点が下向きであり、制御回路１０６による通電により、適宜接点が切り替わるようになっている。
【０００５】
一方の住宅情報盤副親機Ｂは、副親機Ｂの駆動電源を供給する電源回路２０３と、通話線Ｌａを通じて親機Ａや中央監視装置と通話するためのハンドセット２０４と、音声信号線Ｌｄを通じて出力される音声信号を出力するスピーカＳＰと、少なくとも先述の構成要素を制御する制御回路２０５とを備える。
【０００６】
このような構成によれば、中央監視装置、親機Ａ、副親機Ｂのうち、いずれか２者間でハンドセット１０５，２０４を用いた通話ができる。また、親機Ａで火災感知器Ｓの発報を検知すれば、親機Ａからは、音声ＩＣ１０１による音声が警報音としてスピーカから出力される。更に、音声ＩＣ１０１による音声信号は、音声信号線Ｌｄを通じて副親機ＳＰのスピーカＳＰに出力され、そのスピーカＳＰより警報音として出力される。
【０００７】
図７は、ハンズフリー通話型のシステムを示している。
【０００８】
このものは、セキュリティ監視機能を有し、増設スピーカ接続端子Ｔ１を備えた親機Ａに、通話線Ｌａ、制御信号線Ｌｂを介して、副親機Ｂを接続している。親機Ａでは、増設スピーカ接続端子Ｔ１には、増設スピーカＣが接続され、ハンドセット１０５に代わって、ハンズフリー通話回路１０２を備える。
【０００９】
一方の副親機Ｂでは、親機Ａでの火災検知回路１００による火災検知時などの非常時に、所定の音声信号を出力する音声ＩＣ２００と、スピーカＳＰを有し、通話線Ｌａを通じて、親機Ａや中央監視装置とのハンズフリー通話をするためのハンズフリー通話回路２０１と、先述した制御信号送受信回路２０２，電源回路２０３と、少なくとも先述の構成要素全てを制御する制御回路２０５とを備える。
【００１０】
このような構成によれば、中央装置、親機Ａ、副親機Ｂのうち、いずれか２者間でのハンズフリー通話ができる。また、親機Ａで火災感知器Ｓの発報を検知すれば、親機Ａからは、音声ＩＣ１０１による音声が警報音としてスピーカから出力され、増設スピーカＣでも同様の報知がなされる。
【００１１】
更に、親機Ａからは、制御信号線Ｌｂを通じた制御信号が副親機Ｂに出力され、音声ＩＣ２００による音声信号がスピーカＳＰに出力され、そのスピーカＳＰより警報音として出力される。このようなシステムの簡易な構成は、下記特許文献１に記載されている。
【００１２】
【特許文献１】
特開平８−３２９３６２号公報。
【００１３】
【発明が解決しようとする課題】
ところで、上記した２種のシステムの停電時の動作につき、以下に説明する。
【００１４】
図６のハンドセット通話型のシステムでは、停電時には、親機Ａ、副親機Ｂともに、電源回路１０４，２０３による電源供給は遮断される。このとき、親機Ａでは、この状態が制御回路１０６により検出され、リレー回路ＲＹ２を通電して接点を上向きに切り替え、非常電源線Ｌｃによる非常電源で駆動するようにする。
【００１５】
このとき、親機Ａが火災感知器Ｓの発報を検知すると、親機Ａは非常電源により正常な警報処理が行え、増設スピーカ接続端子Ｔ１を通じて音声ＩＣ１０１による音声を副親機Ｂから出力させることができる。
【００１６】
しかしながら、図７のハンズフリー型のシステムではこうはいかない。すなわち、親機Ａは先述した処理により駆動しても、副親機Ｂの電源回路２０３による電源が供給されず、音声ＩＣ２００や制御信号送受信回路２０２、制御回路２０５などは駆動しないため、親機Ａから制御信号を受け取ってもそれを基に警報音出力ができない。
【００１７】
そこで、本発明では、ハンズフリー型のシステムを構築した場合、停電により副親機が駆動しなくなっても、その副親機から警報音を出力できるように、独自の改良を加えた住宅情報盤副親機、住宅情報盤親機、これらを用いたセキュリティシステムを提供することを目的としている。
【００１８】
【課題を解決するための手段】
上記目的を達成するために、請求項１では、第１の本発明のセキュリティ監視通話システムで用いられる住宅情報盤副親機を提案しており、、非常電源機能とセキュリティ監視機能とを備え、増設スピーカ接続端子を少なくとも備えた住宅情報盤親機に対して、通話線、音声信号線及び制御信号線を介して接続され、住宅情報盤親機と通話するためのハンズフリー通話手段を備える住宅情報盤副親機であって、住宅情報盤親機の増設スピーカ接続端子に音声信号線を通じて接続するための親機接続端子と、ハンズフリー通話手段のスピーカを、親機接続端子に接続された音声ラインとハンズフリー通話手段の出力端とに切替接続するためのスピーカ接続切替手段と、この住宅情報盤副親機への電源供給を監視し、電源供給の有無によって、スピーカ接続切替手段を切替制御するための制御手段とを備える。
【００１９】
請求項２では、請求項１において、切替制御手段は、作動時には、電磁コイルを付勢し、非作動時には、弾性体の復元力によってその切替接点を切替える電磁ソレノイドで構成されている。
【００２０】
請求項３では、第２の本発明のセキュリティ監視通話ステムで用いられる住宅情報盤副親機を提案しており、非常電源機能とセキュリティ監視機能と、多重化回路とを備えた２線式信号線接続タイプの住宅情報盤親機に対して、２線式信号線を介して接続され、対応した多重化回路に接続された２線式信号線接続端子と、住宅情報盤親機と通話するためのハンズフリー通話手段とを備える住宅情報盤副親機であって、ハンズフリー通話手段のスピーカを、音声ラインと、ハンズフリー通話手段の出力端に切替接続するためのスピーカ接続切替手段と、２線式信号線接続端子を、音声ラインと、多重化回路の入力端とに切替接続するための２線式接続端子切替手段と、この住宅情報盤副親機への電源供給を監視し、電源供給の有無によって、スピーカ接続切替手段、２線式接続端子切替手段を同時に切替作動する動作をなし、電源供給を検知しないときには、２線式接続切替手段の接点とスピーカ切替手段の接点とを、ともに音声ライン側に切替える一方、電源供給を検知したときには、２線式接続切替手段の接点は多重化回路の入力端に切替えるとともに、スピーカ切替手段の接点をハンズフリー通話手段の出力端に切替えるための制御手段とを備えた。
【００２１】
請求項４では、請求項３において、第１、２の切替制御手段は、作動時には、電磁コイルを付勢し、非作動時には、弾性体の復元力によってその切替接点を切替える電磁ソレノイドで構成されている。
【００２２】
請求項５では、第２の本発明のセキュリティ監視通話システムで用いられる住宅情報盤親機を提案しており、非常電源機能とセキュリティ監視機能とを備え、通話するためのハンズフリー通話手段と、増設スピーカ接続端子と、２線式接続端子を有した多重化回路とを備え、請求項３または４に記載の住宅情報盤副親機に２線式信号線を介して接続される住宅情報盤親機であって、２線式接続端子を、火災時などに作動されるセキュリティ音声情報発生手段の出力端と、多重化回路の出力端とを切替接続するための音声／多重化切替手段と、この住宅情報盤親機への電源供給を監視し、電源供給を検知しないときには、音声／多重化切替手段を作動して、２線式接続端子をセキュリティ音声情報発生手段の出力端に切替える一方、電源供給を検知したときには、２線式接続端子を多重化回路の出力端に切替えるための制御手段とを備える。
【００２３】
請求項６では、請求項５において、切替制御手段は、作動時には、電磁コイルを付勢し、非作動時には、弾性体の復元力によってその切替接点を切替える電磁ソレノイドで構成されている。
【００２４】
請求項７では、第１の本発明のセキュリティ監視通話システムを提案しており、非常電源機能とセキュリティ監視機能とを備え、増設スピーカ接続端子を少なくとも備える住宅情報盤親機と、請求項１または２に記載の住宅情報盤副親機とを通話線、制御信号線、音声信号線を介して相互に接続して構成されている。
【００２５】
請求項８では、第３の本発明のセキュリティ監視通話システムを提案しており、住宅情報盤親機と住宅情報盤副親機とは、映像信号による映像を表示する手段を備え、両者間を映像信号線で接続して構成されている。
【００２６】
請求項９では、第２の本発明のセキュリティ監視通話システムを提案しており、請求項３または４に記載の住宅情報盤副親機と、請求項５または６に記載の住宅情報盤親機とを、２線式信号線を介して接続して構成している。
【００２７】
請求項１０では、第４の本発明のセキュリティ監視通話システムを提案しており、住宅情報盤親機と住宅情報盤副親機とは、通話時に必要な映像を表示する手段を備えており、２線式信号線には、電源、制御信号、通話信号に加えて映像信号が重畳して伝送される構成としている。
【００２８】
【発明の実施の形態】
以下に、本発明の実施の形態について、図面とともに説明する。図１は、第１の本発明のシステム構成の一例を示すブロック図である。なお、従来の説明で説明した構成要素と同じものについては同一符号を付して説明を省略する。
【００２９】
このものでは、先述の図６に示した構成である公知の親機Ａに、通話線Ｌａ、制御信号線Ｌｂ、音声信号線Ｌｄを介して副親機Ｂを接続している。
副親機Ｂでは、ハンズフリー通話回路２０１の出力端とスピーカＳＰとの間には、スピーカ接続切替手段を構成するリレー回路ＲＹ３を設けており、一端（共通端子）がスピーカＳＰに接続され、他の２端のうち一方が音声ラインｌを介して親機接続端子Ｔ２に接続され、他方がハンズフリー通話回路２０１の出力端に接続されている。
【００３０】
リレー回路ＲＹ３は、ここでは、作動時には、電磁コイルを付勢し、非作動時には、弾性体の復元力によってその切替接点を切替える電磁ソレノイドで構成されており、非通電時には、上向き（親機接続端子Ｔ２側）に接点があり、電源回路２０３による電源供給を検知した制御回路２５による通電があると、接点が下向き（ハンズフリー通話回路２０１側）に切り替わる。
【００３１】
親機接続端子Ｔ２には、親機Ａから導出された音声信号線Ｌｄを接続しており、親機Ａの音声ＩＣ１０１からの音声がこの端子Ｔ２を通じて副親機Ｂに入力される。
【００３２】
このような構成の動作を説明する。通常時（非停電時）には、先述したように親機Ａにも副親機Ｂにも電源回路１０４，２０３による電源供給により、リレーＲＹ２は電源回路１０４側、リレーＲＹ３はハンズフリー通話回路２０１側にあり、中央装置、親機Ａ、副親機Ｂのうち、いずれか２者間の通話を可能とする他、火災検知時には、親機Ａの音声ＩＣ１０１による音声がハンズフリー通話回路１０２を通じて出力され、親機Ａによる制御信号送出により、副親機Ｂの音声ＩＣ２００による音声がハンズフリー通話回路２０１を通じてスピーカＳＰより出力される。
【００３３】
一方、停電時には、親機Ａのみが非常電源で駆動し、副親機Ｂの各構成要素にはまったく通電されない状態となる。そのとき、副親機Ｂでは、リレー回路ＲＹ３は自動的に接点が親機接続端子Ｔ２側へ切り替わり、スピーカＳＰと親機Ａの音声ＩＣ１０１とが接続される。
【００３４】
すると、親機Ａで火災検知をしたときには、親機Ａの音声ＩＣ１０１による音声が、増設スピーカ接続端子Ｔ１、親機接続端子Ｔ２を通じて、副親機ＢのスピーカＳＰに出力されるため、停電があり副親機Ｂが駆動しなくなっても、親機Ａにおける火災検知を報知できる。
【００３５】
図２は、第２の本発明のシステム構成の一例を示すブロック図である。なお、従来の技術で示した構成要素と同じものについては同一符号を付して説明を省略する。
【００３６】
このものは、公知の２線式信号線接続タイプの親機、副親機を、本発明の目的を達成すべく改良を加えたものである。
【００３７】
親機Ａでは、変調しない音声信号と、変調した制御信号とを多重化して２線式信号線Ｌｅに重畳させる多重化回路１０７の出力側に、音声／多重化切替手段を構成するリレー回路ＲＹ４を設けており、共通端には２線式信号線接続端子Ｔ４が接続され、他の２端はそれぞれ、音声ＩＣ１０１の出力端と多重化回路１０７の出力端とが接続されている。
【００３８】
一方の副親機Ｂでは、先述した構成のリレー回路ＲＹ３を備える他、多重化回路２０６の入力側には、２線式接続端子切替手段を構成するリレー回路ＲＹ５を備えている。
【００３９】
リレー回路ＲＹ５は、共通端が２線式接続端子Ｔ３に接続され、他の２端のうち、一方は音声ラインｌに接続され、他方は多重化回路２０６の入力端に接続されている。なお、リレー回路ＲＹ３〜５の各々は、例えば、先述したような電磁ソレノイドで構成することができる。
【００４０】
リレー回路ＲＹ５は、非通電時には、上向き（リレー回路ＲＹ３側）に接点があり、電源回路２０３による電源供給を検知した制御回路５による通電があると、接点が下向き（多重化回路２０６側）に切り替わる。
【００４１】
このような構成の動作を説明する。通常時（非停電時）には、先述したように親機Ａにも副親機Ｂにも電源回路１０４，２０３による電源供給があるため、リレーＲＹ２は電源回路１０４側、リレーＲＹ３はハンズフリー通話回路２０１側、リレーＲＹ４は多重化回路１０７側、リレー回路ＲＹ５は多重化回路２０６側にあり、中央装置、親機Ａ、副親機Ｂのうち、いずれか２者間の通話を可能とする他、火災検知時には、親機Ａの音声ＩＣ１０１による音声がハンズフリー通話回路１０２を通じて出力され、親機Ａによる制御信号送出により、副親機Ｂの音声ＩＣ２００による音声がハンズフリー通話回路２０１を通じてスピーカＳＰより出力される。
【００４２】
一方、停電時には、親機Ａの電源回路１０４による電源供給が途絶えるので、リレー回路ＲＹ２への通電が遮断され、非常電源線Ｌｃを通じた電源供給に切り替わる。
【００４３】
これとともに、制御回路１０６からのリレー回路ＲＹ４への通電も途絶え、接点が音声ＩＣ１０１側へと切り替わり、２線式信号線Ｌｅと音声ＩＣ１０１とが接続された状態となる。
【００４４】
一方の副親機Ｂでは、電源回路２０３による電源供給が途絶えるので、リレー回路ＲＹ３，ＲＹ５への通電が遮断され、双方の接点が音声ラインｌ側に切り替わり、２線式信号線Ｌｅが、音声ラインｌを介して副親機ＢのスピーカＳＰに接続された状態となる。
【００４５】
すると、親機Ａで火災検知をしたときには、親機Ａの音声ＩＣ１０１による音声が、２線式信号線Ｌｅ、音声ラインｌを通じて、副親機ＢのスピーカＳＰに出力されるため、停電があり副親機Ｂが駆動しなくなっても、親機Ａにおける火災検知を報知できる。
【００４６】
図３は、第３の本発明のシステム構成の一例を示すブロック図である。このものは、図１のシステムに来客表示機能を付加したものであり、親機Ａ、副親機ＢのそれぞれにはモニタＭを搭載し、それぞれに、映像信号線Ｌｆを接続することにより、通話時などに必要な映像が映像信号として映像信号線Ｌｆを通じて伝送され、モニタＭに表示される。
【００４７】
図４は、第４の本発明のシステム構成の一例を示すブロック図である。このものは、図２のシステムに来客表示機能を付加したものであり、親機Ａ、副親機ＢのそれぞれにはモニタＭを搭載し、親機Ａには映像信号線Ｌｆが接続され、２線式信号線Ｌｅには、変調した映像信号が更に重畳して伝送され、それがモニタＭに表示される。
【００４８】
図５は、先述した親機Ａ、副親機Ｂの１利用例について示す図である。
【００４９】
ここでは、火災感知器Ｓなどのセキュリティセンサを接続した住宅情報盤親機Ａに、通話線Ｌａと制御信号線Ｌｂとを介して、もしくは２線式信号線Ｌｅを介して住宅情報盤副親機Ｂを順次接続している。親機Ａには、通話線Ｌａ、制御信号線Ｌｂを介して、中央装置として、ロビーインターホンＤや警報監視盤Ｅを接続し、非常電源線Ｌｃを介して非常電源装置Ｆを接続している。
【００５０】
また、図示はしないが、親機Ａ、副親機Ｂの双方には、ロビーインターホンＤから導出された映像信号線が接続されるか、親機ＡのみにロビーインターホンＤから導出された映像信号線を接続し、その映像信号線を伝送される映像信号を親機Ａから２線式信号線Ｌｅに更に重畳させて送出するようにしている。
このものでは、非停電時には、親機Ａや副親機Ｂは独自の電源により駆動しており、ロビーインターホンＤや警報監視盤Ｅなどの中央装置と、親機Ａと、副親機Ｂとのうち、いずれか２者間での通話ができる。ここで、ロビーインターホンＤと、親機Ａあるいは副親機Ｂとの間では、映像信号線や２線式信号線Ｌｅを通じて伝送される映像信号でもって、ロビーインターホンＤで撮影された映像を親機Ａや副親機Ｂで表示できる。
【００５１】
また、親機Ａが火災感知器Ｓの発報を検知したときには、親機Ａや副親機Ｂからは、独自の音声ＩＣ１０１，２０１の処理により警報音が出力される。
一方、停電時には親機Ａや副親機Ｂは、先述したリレー回路の切替処理を行うので、親機Ａ，副親機Ｂ共に、警報音出力処理が行えるようになり、親機Ａが火災検知をしたときには、親機Ａだけでなく、副親機Ｂにおいても警報音が出力できる。
【００５２】
【発明の効果】
以上の説明からも理解できるように、本発明の請求項１では、停電時には、副親機では、スピーカ接続切替手段により、副親機のスピーカと親機のセキュリティ音声情報発生手段とが接続されるので、火災を検知した親機による音声が、副親機のスピーカに出力されるため、停電があり副親機が駆動しなくなっても、親機における火災検知を報知できる。
【００５３】
請求項３では、停電時には、副親機では、親機から導出された２線式信号線が、音声ラインを介してスピーカに接続されるため、親機から送出される音声がスピーカより出力でき、停電があり副親機が駆動しなくなっても、親機における火災検知を報知できる。
【００５４】
請求項５では、停電時には、親機では、内蔵されるセキュリティ音声情報発生手段が、２線式信号線に何らの構成要素を介することなく接続されるため、２線式信号線に対して音声信号のみの出力ができる。そのため、請求項３の副親機と組み合わせれば、その副親機が停電により駆動しなくなっても、親機における火災検知を報知できる。
【００５５】
請求項２，４，６では、スピーカ接続切替手段、２線式接続端子切替手段、音声／多重化切替手段は、作動時には、電磁コイルを付勢し、非作動時には、弾性体の復元力によってその切替接点を切替える電磁ソレノイドで構成されているため、請求項１，３，５の副親機、親機の処理を容易に実行できる。
【００５６】
請求項７〜１０では、請求項１〜６のいずれかの効果を発揮するセキュリティシステムが提供できる。特に、請求項９，１０では、来客の映像を視認しながら通話ができ、一層利便である。
【図面の簡単な説明】
【図１】第１の本発明のシステム構成の一例を示すブロック図である。
【図２】第２の本発明のシステム構成の一例を示すブロック図である。
【図３】第３の本発明のシステム構成の一例を示すブロック図である。
【図４】第４の本発明のシステム構成の一例を示すブロック図である。
【図５】親機と副親機の利用例について説明する図である。
【図６】従来のセキュリティシステムの構成を示す図である（ハンドセット通話型）
【図７】従来のセキュリティシステムの構成を示す図である（ハンズフリー通話型）
【符号の説明】
Ａ・・・住宅情報盤親機
Ｂ・・・住宅情報盤副親機
Ｍ・・・モニタ
１６，２５・・・制御回路
ＲＹ３〜５・・・リレー回路
１０１・・・音声ＩＣ
１０２，２００・・・ハンズフリー通話回路
ＳＰ・・・スピーカ
Ｌａ・・・通話線
Ｌｂ・・・制御信号線
Ｌｃ・・・非常電源線
Ｌｄ・・・音声信号線
Ｌｅ・・・２線式信号線
【図１】
2004229176.tif 000003
【図２】
2004229176.tif 000004
【図３】
2004229176.tif 000005
【図４】
2004229176.tif 000006
【図５】
2004229176.tif 000007
【図６】
2004229176.tif 000008
【図７】
2004229176.tif 000009